(57)【要約】【課題】リモコンスイッチ部外装カバーを簡便に脱着することができて、リモートコントロールスイッチの点検、修理或いは交換等を容易に短時間で行うことができる電子内視鏡の操作部を提供すること。【解決手段】外部電子機器３０〜３２の動作を遠隔制御するためのリモートコントロールスイッチ１３（１３１〜１３９）が上端部付近に配置されて、リモートコントロールスイッチ１３（１３１〜１３９）が配置されている付近だけを外装するリモコンスイッチ部外装カバー１４が着脱可能に設けられた電子内視鏡の操作部において、操作部本体フレーム１５に対してリモコンスイッチ部外装カバー１４をその外側から固定及び固定解除することができるカバー固定手段２３を設けた。【選択図】      図１
2008048803.tif 000002
【特許請求の範囲】
【請求項１】
外部電子機器の動作を遠隔制御するためのリモートコントロールスイッチが上端部付近に配置されて、上記リモートコントロールスイッチが配置されている付近だけを外装するリモコンスイッチ部外装カバーが着脱可能に設けられた電子内視鏡の操作部において、
操作部本体フレームに対して上記リモコンスイッチ部外装カバーをその外側から固定及び固定解除することができるカバー固定手段を設けたことを特徴とする電子内視鏡の操作部。
【請求項２】
上記カバー固定手段が、雄ねじとそれより太い頭部とが一体に形成されたカバー固定ねじであり、上記カバー固定ねじが上記リモコンスイッチ部外装カバーを操作部本体フレームに対してその外側から固定及び固定解除できるように配置されている請求項１記載の電子内視鏡の操作部。
【請求項３】
上記カバー固定ねじが着脱自在に螺合するねじ孔が形成された台座が、上記操作部本体フレームに連結固定されている請求項２記載の電子内視鏡の操作部。
【請求項４】
上記リモートコントロールスイッチが、電気接点部を有するタクトスイッチと上記タクトスイッチをプッシュ操作するための押しボタン部とに分かれて構成されていて、上記タクトスイッチは上記操作部本体フレームに対して固定的に設けられ、上記押しボタン部は上記リモコンスイッチ部外装カバーに取り付けられている請求項１、２又は３記載の電子内視鏡の操作部。
【発明の詳細な説明】
【技術分野】
【０００１】
この発明は電子内視鏡の操作部に関する。
【背景技術】
【０００２】
電子内視鏡の操作部には一般に、外部に接続されたビデオプロセッサ等のような外部電子機器の動作を遠隔制御するためのリモートコントロールスイッチが上端部付近に配置されていて、そのリモートコントロールスイッチが配置されている付近だけを外装するリモコンスイッチ部外装カバーが着脱可能に設けられている（例えば、特許文献１）。
【特許文献１】特許３５４０４０８
【発明の開示】
【発明が解決しようとする課題】
【０００３】
特許文献１に記載されているような従来の電子内視鏡の操作部においては、例えば特許文献１の図２７等に示されるように、リモコンスイッチ部外装カバーを固定するための固定ねじが、操作部本体フレーム側からリモコンスイッチ部外装カバーに対して着脱自在に螺合する構成になっている。
【０００４】
したがって、リモートコントロールスイッチの点検、修理或いは交換等の必要が生じた時は、操作部本体フレームの内側から固定ねじを緩めなければならず、そのためには、まず操作部本体フレームを大きく囲んでいる操作部外装カバーを外して、固定ねじにアクセスするのに妨げになる部材を脇へ寄せる等の作業が必要となり、極めて煩雑であった。
【０００５】
そこで本発明は、リモコンスイッチ部外装カバーを簡便に脱着することができて、リモートコントロールスイッチの点検、修理或いは交換等を容易に短時間で行うことができる電子内視鏡の操作部を提供することを目的とする。
【課題を解決するための手段】
【０００６】
上記の目的を達成するため、本発明の電子内視鏡の操作部は、外部電子機器の動作を遠隔制御するためのリモートコントロールスイッチが上端部付近に配置されて、リモートコントロールスイッチが配置されている付近だけを外装するリモコンスイッチ部外装カバーが着脱可能に設けられた電子内視鏡の操作部において、操作部本体フレームに対してリモコンスイッチ部外装カバーをその外側から固定及び固定解除することができるカバー固定手段を設けたものである。
【０００７】
なお、カバー固定手段が、雄ねじとそれより太い頭部とが一体に形成されたカバー固定ねじであり、カバー固定ねじがリモコンスイッチ部外装カバーを操作部本体フレームに対してその外側から固定及び固定解除できるように配置されていてもよく、その場合、カバー固定ねじが着脱自在に螺合するねじ孔が形成された台座が、操作部本体フレームに連結固定されていてもよい。
【０００８】
また、リモートコントロールスイッチが、電気接点部を有するタクトスイッチとタクトスイッチをプッシュ操作するための押しボタン部とに分かれて構成されていて、タクトスイッチは操作部本体フレームに対して固定的に設けられ、押しボタン部はリモコンスイッチ部外装カバーに取り付けられていてもよい。
【発明の効果】
【０００９】
本発明によれば、操作部本体フレームに対してリモコンスイッチ部外装カバーをその外側から固定及び固定解除することができるカバー固定手段を設けたことにより、リモコンスイッチ部外装カバーを簡便に脱着することができて、リモートコントロールスイッチの点検、修理或いは交換等を容易に短時間で行うことができる。
【発明を実施するための最良の形態】
【００１０】
外部電子機器の動作を遠隔制御するためのリモートコントロールスイッチが上端部付近に配置されて、リモートコントロールスイッチが配置されている付近だけを外装するリモコンスイッチ部外装カバーが着脱可能に設けられた電子内視鏡の操作部において、操作部本体フレームに対してリモコンスイッチ部外装カバーをその外側から固定及び固定解除することができるカバー固定手段を設ける。
【実施例】
【００１１】
図面を参照して本発明の実施例を説明する。
図２は電子内視鏡装置の全体構成を示しており、挿入部１の先端部分には遠隔操作によって屈曲する湾曲部２が形成され、図示されていない観察窓等が配置された先端部本体３が湾曲部２の先端に連結されている。先端部本体３内には、観察窓を通って得られる内視鏡観察像を撮像するための固体撮像素子４が内蔵されている。
【００１２】
固体撮像素子４から出力される撮像信号等を伝送するための信号ケーブル５は、挿入部１の基端に連結された操作部１０内を通って、外部の電子機器であるビデオプロセッサ３０に接続されている。ビデオプロセッサ３０には、内視鏡観察画像を表示するためのモニタテレビ３１や、内視鏡観察画像を記録するためのビデオ記録装置３２等の電子機器が接続されている。
【００１３】
操作部１０は下半部が握り部になっていて、上半部の側面には、湾曲部２の屈曲状態を遠隔操作するための湾曲操作ノブ１１が配置され、上半部の前面には先端部本体３から外方に送気送水や吸引を行う操作を行うための操作弁１２が配置されている。
【００１４】
そして、操作部１０の上端部付近の前面と後面には、外部電子機器（ビデオプロセッサ３０、モニタテレビ３１、ビデオ記録装置３２等）の動作を遠隔制御するための複数のリモートコントロールスイッチ１３が配置されている。
【００１５】
図３は、そのようなリモートコントロールスイッチ１３が配置されている操作部１０の上端部付近を示しており、リモートコントロールスイッチ１３が配置されている付近だけを外装するリモコンスイッチ部外装カバー１４が操作部本体フレーム１５に着脱自在に設けられている。１６はシール用のＯリングである。
【００１６】
各リモートコントロールスイッチ１３は、電気接点部を有するタクトスイッチ１３１と、そのタクトスイッチ１３１をプッシュ操作するための押しボタン部１３２〜１３９とに分かれて構成されていて、タクトスイッチ１３１は操作部本体フレーム１５に対して固定されている。
【００１７】
具体的には、タクトスイッチ１３１が取り付けられたタクトスイッチ受け板１７が、操作部本体フレーム１５に台座固定ねじ１８で強固に固定された台座１９に、タクトスイッチ固定ねじ２０で固定されている。
【００１８】
一方、押しボタン部１３２〜１３９はリモコンスイッチ部外装カバー１４に取り付けられている。具体的には、押しボタン１３２が頭部に取り付けられたピストン状部材１３３が、リモコンスイッチ部外装カバー１４に固定ナット１３４で固定されたシリンダ状部材１３５内に軸線方向に進退自在に嵌挿配置されている。
【００１９】
また、ピストン状部材１３３が外方に抜け出すのを防止するストッパカバー１３６がシリンダ状部材１３５に外側から着脱自在に螺合している。１３７は、ピストン状部材１３３を付勢するコイルスプリング、１３８と１３９はシール用のＯリングである。
【００２０】
このような構成により、ストッパカバー１３６を緩めてシリンダ状部材１３５から取り外せば、押しボタン１３２が取り付けられたピストン状部材１３３をシリンダ状部材１３５内から外方に抜き出すことができる。
【００２１】
リモコンスイッチ部外装カバー１４を操作部本体フレーム１５に対して固定するためのカバー固定ねじ２３は、雄ねじとそれより太い頭部とが一体に形成されたものであり、リモコンスイッチ部外装カバー１４の外側からリモコンスイッチ部外装カバー１４を押さえるようにねじ通し孔２８に通されて、台座１９に形成されたねじ孔２４に着脱自在に螺合している。２５は、カバー固定ねじ２３の頭部に装着されたシール用のＯリング、２６は、カバー固定ねじ２３を回転させる工具を係合させるためのカニメ孔である。
【００２２】
２７は、カバー固定ねじ２３が外側から見えないようにカバーをする板状のねじ部カバーであり、いつでも簡単に取り外せる粘着剤等でカバー固定ねじ２３の外側からリモコンスイッチ部外装カバー１４に貼着されている。その結果、図４に示されるように、リモコンスイッチ部外装カバー１４部分を上方から見た時でも、外部から見えるのはねじ部カバー２７であって、カバー固定ねじ２３が見えることはない。
【００２３】
図１は、リモコンスイッチ部外装カバー１４が操作部本体フレーム１５から取り外された状態を示しており、先ずリモコンスイッチ部外装カバー１４からねじ部カバー２７を外し、それからカバー固定ねじ２３を緩めると、それだけでリモコンスイッチ部外装カバー１４を操作部本体フレーム１５から取り外すことができる。ただし、カバー固定ねじ２３を緩める前に、ストッパカバー１３６を緩めてピストン状部材１３３等をシリンダ状部材１３５から抜き出しておくとよい。
【００２４】
このようにして、カバー固定ねじ２３を外方から緩めるだけでリモコンスイッチ部外装カバー１４を簡便に取り外すことができ、リモコンスイッチ部外装カバー１４を再装着する際には、カバー固定ねじ２３を外方からねじ孔２４に締め付けるだけでリモコンスイッチ部外装カバー１４を操作部本体フレーム１５に固定することができ、リモートコントロールスイッチ１３の点検、修理或いは交換等を容易に短時間で行うことができる。
【図面の簡単な説明】
【００２５】
【図１】本発明の実施例の電子内視鏡の操作部の上端部付近の部分分解断面図である。
【図２】本発明の実施例の電子内視鏡装置の全体構成を示す略示図である。
【図３】本発明の実施例の電子内視鏡の操作部の上端部付近の断面図である。
【図４】本発明の実施例のリモコンスイッチ部外装カバー部分の平面図である。
【符号の説明】
【００２６】
１０  操作部
１３  リモートコントロールスイッチ
１４  リモコンスイッチ部外装カバー
１５  操作部本体フレーム
１９  台座
２３  カバー固定ねじ（カバー固定手段）
２４  ねじ孔
２８  ねじ通し孔
３０  ビデオプロセッサ（外部電子機器）
３１  モニタテレビ（外部電子機器）
３２  ビデオ記録装置（外部電子機器）
１３１  タクトスイッチ
１３２  押しボタン（押しボタン部）
１３３  ピストン状部材（押しボタン部）
１３５  シリンダ状部材（押しボタン部）
１３６  ストッパカバー（押しボタン部）
１３７  コイルスプリング（押しボタン部）
【図１】
2008048803.tif 000003
【図２】
2008048803.tif 000004
【図３】
2008048803.tif 000005
【図４】
2008048803.tif 000006